(57)【特許請求の範囲】
【請求項１】
吸収体と、少なくとも一部が液透過性材料からなり、前記吸収体の表面を被覆するように配置されたトップシートと、液不透過性材料からなり、前記吸収体の裏面を被覆するように配置されたバックシートと、撥水性シートからなり、前記吸収体の両側に配置された一対の立体ギャザーとを備え、
前記立体ギャザーの表面の一部が、熱エンボス加工又は超音波溶着により形成された複数の仮止め部によって、前記トップシートの表面及び前記立体ギャザー自体の表面のうちの少なくとも一つの表面に対して剥離可能に仮止めされ、
前記複数の仮止め部が、前記立体ギャザーの長さ方向に向かって、断続的に配置されており、
前記仮止め部を剥離する数によって前記立体ギャザーと前記トップシートとの間に形成されるポケットの幅を段階的に調節可能とした吸収性物品。
【請求項２】
前記複数の仮止め部は、前記立体ギャザーの前端側及び後端側に配置された仮止め部の剥離強度よりも、前記立体ギャザーの長手方向中央側に配置された仮止め部の剥離強度が低くなっている請求項１に記載の吸収性物品。
【請求項３】
前記立体ギャザーの表面の一部が、複数の仮止め部によって、前記トップシートの表面及び前記立体ギャザー自体の表面のうちの少なくとも一つの表面に対して仮止めされており、
前記複数の仮止め部が、前記立体ギャザーの高さ方向に向かって、断続的に配置されている請求項１又は２に記載の吸収性物品。
【請求項４】
前記複数の仮止め部は、前記立体ギャザーの固定端側に配置された仮止め部の剥離強度よりも、前記立体ギャザーの自由端側に配置された仮止め部の剥離強度が低くなっている請求項３に記載の吸収性物品。
【請求項５】
前記立体ギャザーの表面のうち、前記立体ギャザーの前端側及び後端側は仮止めされており、前記立体ギャザーの長手方向中央部は前記トップシートの表面に対して非固定の状態となっている請求項１〜４のいずれか一項に記載の吸収性物品。
【請求項６】
前記立体ギャザーの表面のうち、前記立体ギャザーの前端側及び後端側は仮止めされており、前記立体ギャザーの長手方向中央部は前記トップシートの表面に対して固着されている請求項１〜４のいずれか一項に記載の吸収性物品。
【発明の詳細な説明】
【技術分野】
【０００１】
本発明は、着用者の排泄物の横漏れを防止する目的で、吸収体の両側に配置される一対の立体ギャザーを備えた、テープ型使い捨ておむつ、パンツ型使い捨ておむつ、尿取りパッド等の吸収性物品に関するものである。
【背景技術】
【０００２】
一般に、テープ型使い捨ておむつ、パンツ型使い捨ておむつ、尿取りパッド等の吸収性物品には、吸収体の両側に立体ギャザーが付設されることがある（例えば、特許文献１及び２を参照）。
【０００３】
例えば、図２に示す吸収性物品１００Ａは、吸収体２２の両側に配置された一対の立体ギャザー２６を備えたテープ型使い捨ておむつである。この立体ギャザー２６は、その自由端Ｅ１近傍に配置される立体ギャザー伸縮材３６の収縮力によって、立体的に起立可能に構成されており、着用者の排泄物が吸収体の側縁側から漏れる事態（いわゆる横漏れ）を防止する防漏壁としての効果を奏する。
【０００４】
また、立体ギャザーは、前記のような防漏壁として機能させる他、立体ギャザーによって形成される空間を、尿取りパッドを固定するためのポケットとして利用する場合がある。
【０００５】
尿取りパッド（インナーパッド、補助パッドとも称される。）は、使い捨ておむつと併用する内敷き用の吸収パッドであり、通常は、使い捨ておむつのトップシート上に載置した状態で用いられる。従って、吸収体の両側に配置される１対の立体ギャザーの間に、尿取りパッドを挟み込むようにして固定することが行われている。
【０００６】
例えば、図３に示す吸収性物品１００Ｂのように、立体ギャザー２６を形成するギャザーシート５０を、トップシート１８との固定部の軌跡５２が前身頃２側及び後身頃６側で幅方向外側に湾曲するように、トップシート１８に対して貼り付けることによって、トップシート１８とギャザーシート５０との間にポケット５４を形成したテープ型使い捨ておむつが提案されている（例えば、特許文献３を参照）。
【０００７】
また、立体ギャザーの内側面のうち股下部から後身頃側に至るまでの部分をトップシートに対して貼り付けることによって、トップシートと立体ギャザーとの間にポケットを形成した使い捨ておむつが提案されている（例えば、特許文献４を参照）。
【０００８】
同様に、例えば、図４に示す吸収性物品１００Ｃのように、立体ギャザー２６の内側面のうち、おむつの股下部４に相当する部分をトップシート１８に対して固定することによって（固定部７０）、トップシート１８と立体ギャザー２６との間にポケット７２を形成したテープ型使い捨ておむつも提案されている（例えば、特許文献５を参照）。
【０００９】
【特許文献１】特開２０００−２６２５５５号公報
【特許文献２】特開２００２−６５６号公報
【特許文献３】特許第３６６９９７４号公報
【特許文献４】特許第３４１８２７９号公報
【特許文献５】特開２００５−１６０８４３号公報
【発明の開示】
【発明が解決しようとする課題】
【００１０】
前記のように立体ギャザーの付設は、排泄物の横漏れ防止に有効である。しかしながら、着用者の体型や姿勢によっては、横漏れ防止効果が十分に得られない場合があるという課題があった。
【００１１】
また、立体ギャザーによって形成される空間を、尿取りパッドを固定するためのポケットとして利用する場合にあっては、特許文献３〜５に記載の使い捨ておむつであっても、尿取りパッドを確実に固定することは難しく、尿取りパッドのズレが生じ易いという課題が残されていた。即ち、尿取りパッドには、おむつの股下部より幅狭な矩形状の小型パッド、おむつの前身頃側及び後身頃側に幅広な耳部を有する砂時計型の大型パッド等があり、また、製造者毎に微妙に大きさや形状も異なる。従って、これら多種多様な尿取りパッドに対応して確実に固定することが難しく、尿取りパッドのズレ、ひいてはズレに伴う尿漏れを有効に防止することが困難であった。
【００１２】
本発明は、このような従来技術の課題を解決するためになされたものであって、着用者の体型や姿勢に拘らず、立体ギャザーの防漏効果が十分に得られ、また、小型パッドから大型パッドまで、また、製造者毎に大きさや形状が微妙に異なる尿取りパッドを確実に固定することができる吸収性物品を提供するものである。
【課題を解決するための手段】
【００１３】
本発明者は、前記のような従来技術の課題を解決するために鋭意検討した結果、従前の吸収性物品は、立体ギャザーの高さや幅（尿取りパッドを固定する場合であれば、ポケットの幅や深さ）が予め決まっていることに起因して、着用者の体型や姿勢、或いは各種尿取りパッドに対する形状自由度が低いため、横漏れ防止効果が十分に得られず、尿取りパッドの固定も不十分となることを見出した。そして、立体ギャザーの表面の一部をトップシートの表面に対して剥離可能に仮止めし、尿取りパッドの大きさや形状に合わせて所望の部位だけを剥離してポケットの幅や深さを適宜調整し得る構造とすることによって、上記課題が解決されることに想到し、本発明を完成させた。具体的には、本発明により、以下の吸収性物品が提供される。
【００１４】
［１］  吸収体と、少なくとも一部が液透過性材料からなり、前記吸収体の表面を被覆するように配置されたトップシートと、液不透過性材料からなり、前記吸収体の裏面を被覆するように配置されたバックシートと、撥水性シートからなり、前記吸収体の両側に配置された一対の立体ギャザーとを備え、前記立体ギャザーの表面の一部が、熱エンボス加工又は超音波溶着により形成された複数の仮止め部によって、前記トップシートの表面及び前記立体ギャザー自体の表面のうちの少なくとも一つの表面に対して剥離可能に仮止めされ、前記複数の仮止め部が、前記立体ギャザーの長さ方向に向かって、断続的に配置されており、前記仮止め部を剥離する数によって前記立体ギャザーと前記トップシートとの間に形成されるポケットの幅を段階的に調節可能とした吸収性物品。
【００１６】
［２］  前記複数の仮止め部は、前記立体ギャザーの前端側及び後端側に配置された仮止め部の剥離強度よりも、前記立体ギャザーの長手方向中央側に配置された仮止め部の剥離強度が低くなっている前記［１］に記載の吸収性物品。
【００１７】
［３］  前記立体ギャザーの表面の一部が、複数の仮止め部によって、前記トップシートの表面及び前記立体ギャザー自体の表面のうちの少なくとも一つの表面に対して仮止めされており、前記複数の仮止め部が、前記立体ギャザーの高さ方向に向かって、断続的に配置されている前記［１］又は［２］に記載の吸収性物品。
【００１８】
［４］  前記複数の仮止め部は、前記立体ギャザーの固定端側に配置された仮止め部の剥離強度よりも、前記立体ギャザーの自由端側に配置された仮止め部の剥離強度が低くなっている前記［３］に記載の吸収性物品。
【００１９】
［５］  前記立体ギャザーの表面のうち、前記立体ギャザーの前端側及び後端側は仮止めされており、前記立体ギャザーの長手方向中央部は前記トップシートの表面に対して非固定の状態となっている前記［１］〜［４］のいずれかに記載の吸収性物品。
【００２０】
［６］  前記立体ギャザーの表面のうち、前記立体ギャザーの前端側及び後端側は仮止めされており、前記立体ギャザーの長手方向中央部は前記トップシートの表面に対して固着されている前記［１］〜［４］のいずれかに記載の吸収性物品。
【発明の効果】
【００２１】
本発明の吸収性物品は、着用者の体型や姿勢に拘らず、立体ギャザーの防漏効果が十分に得られ、また、小型パッドから大型パッドまで、また、製造者毎に大きさや形状が微妙に異なる尿取りパッドを確実に固定することが可能である。
【発明を実施するための最良の形態】
【００２２】
以下、本発明の吸収性物品を実施するための最良の形態について、テープ型使い捨ておむつの例により具体的に説明する。但し、本発明はその発明特定事項を備える吸収性物品を広く包含するものであり、以下の実施形態に限定されるものではない。
【００２３】
なお、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００２４】
［１］本発明の吸収性物品：
図１Ａ〜図１Ｃに示す吸収性物品１Ａは、撥水性シートからなり、吸収体２２の両側に配置された一対の立体ギャザー２６Ａを備え、立体ギャザー２６Ａの表面Ｓ１の一部が、トップシート１８の表面及び立体ギャザー２６Ａ自体の表面のうちの少なくとも一つの表面に対して剥離可能に仮止めされている（図中、符号２８が仮止め部を示す。）。
【００２５】
立体ギャザー２６Ａの表面の一部をトップシート１８の表面及び立体ギャザー２６Ａ自体の表面のうちの少なくとも一つの表面に対して剥離可能に仮止めすることによって、図１Ｃに示すように、全く仮止め部２８を剥離しないで、また、図１Ｄに示すように、一部の仮止め部２８を剥離して、更には、図１Ｅに示すように、仮止め部２８を完全に剥離して使用することができる。
【００２６】
従って、立体ギャザー２６Ａの高さや立ち上がり位置（起立線Ｌ１）を、その着用者の姿勢や体型に最も適した形にカスタマイズすることができる。従って、立体ギャザーを各々の着用者の肌に正確にフィットさせることができ、高い漏れ防止効果を得ることができる。
【００２７】
また、尿取りパッドの大きさや形状と合致するように仮止め部２８の一部又は全部を剥離し、ポケットの幅や深さを適宜調整することが可能となる。
【００２８】
例えば、小型パッドを使用する場合には、小型パッドの幅に合わせて股下部近傍の仮止め部を剥離する、大型パッドを使用する場合には、パッドの耳部の幅に合わせて前身頃及び後身頃近傍の仮止め部を剥離する、といった使用方法が可能となる。また、尿取りパッドの大きさや形状が製造者毎に微妙に異なっていても、形成されるポケットの形状自由度が高いため、尿取りパッドを確実に固定することができ、尿取りパッドのズレが生じ難い。
【００２９】
［１−１］立体ギャザー：
本発明の吸収性物品は、撥水性シートからなり、吸収体の両側に配置された少なくとも一対の立体ギャザーを備えている。
【００３０】
立体ギャザーは、着用者の排泄した尿の横漏れを防止するための部材であり、立体的に起立可能なように構成された防漏壁である。このような立体ギャザーを形成することにより、立体ギャザーが防波堤となり、おむつの脚周り開口部等からの漏れ（いわゆる「横漏れ」）を有効に防止することができる。
【００３１】
立体ギャザーの構成は、従来の使い捨ておむつ、その他の吸収性物品に使用される構成を採用することができる。例えば、撥水性のシート材の一部に伸縮材（立体ギャザー伸縮材）を配置し、その立体ギャザー伸縮材によってシート材にギャザー（襞）を形成したもの等を好適に用いることができる。
【００３２】
なお、立体ギャザーは、立体ギャザー用の撥水性シートを別途付設することにより形成することができる。この方法は、ギャザーを配置したい部位（例えば、おむつの股下部のみ）に、おむつの構成シートとは別体の撥水性シートを貼り合わせればよい。従って、使用するシート材が少なくて済む。また、２枚の撥水性シートの層間に不透液性シートを挟みこんだシート材を用い、漏れ防止効果の向上を図る等、用途に応じた立体ギャザーを形成することが容易である。
【００３３】
また、立体ギャザーは、吸収性物品を構成する他のシート材の一部によって形成してもよい。例えば、図１Ａに示す吸収性物品１Ａは、撥水性シートからなるサイドシート１８ｂを折り返すことにより立体ギャザー２６Ａを形成した例である。立体ギャザーとサイドシートは機能的な面で撥水性不織布を用いることが好ましい。従って、両部材を一体的に形成した方が別部材を貼り合わせるよりも製造工程を簡素化でき、製品原料にも無駄が出難い。
【００３４】
立体ギャザーを形成する撥水性シートは、別途付設する場合でも、おむつの他の構成シートを折り返して形成する場合でも、カードエンボス、スパンボンド、ＳＭＳ、ＳＭＭＳ等の製法により製造された不織布シートを好適に用いることができる。中でも、防水性の高いＳＭＳ、ＳＭＭＳ等の不織布シートが更に好ましい。
【００３５】
本発明の吸収性物品は、立体ギャザーの表面が剥離可能に仮止めされている。「剥離可能に仮止めされている」とは、人間の力で容易に剥離可能な程度に、且つ、剥離した際に仮止めされているトップシート等の素材が破れ、穴開き等の破損を生じない程度に固着されていることを意味する。
【００３６】
具体的にはＪＩＳＫ６８５４に準拠して測定された１８０°ピールの剥離力が０．３〜５．０Ｎの範囲で固定されていることが好ましい。剥離力が０．３Ｎ未満の場合には、接着力が弱すぎて、おむつを装着する際等、剥離を要しない場面でも、意図せず剥がれてしまうことがある。また、剥離力が５．０Ｎを超える場合には、接着力が強すぎて仮止め部がなかなか剥離できず、おむつ交換の際に必要以上の負担を生じてしまう場合がある。前記効果をより確実に得るためには、剥離力が０．５〜３．０Ｎの範囲であることがより好ましい。
【００３７】
本発明の吸収性物品においては、熱エンボス加工又は超音波溶着により仮止め部を形成する。即ち、仮止めの方法としては、極めて弱い溶着又は圧着等の方法を挙げることができる。
【００３８】
本発明の吸収性物品は、立体ギャザーの「表面」が仮止めされている。「表面」には、内側面と外側面の双方が含まれる。「内側面」とは、図１Ｂに示すように、立体ギャザー２６Ａが起立した際に、吸収性物品１Ａの幅方向中央側に配向する面を意味する（図中、符号Ｓ１）。これに対し、「外側面」とは、立体ギャザー２６Ａが起立した際に、吸収性物品１Ａの直近の側縁６ａ（６ｂ）側に配向する面を意味する（図中、符号Ｓ２）。
【００３９】
また、本発明の吸収性物品は、立体ギャザーの表面の「一部」が仮止めされている。例えば、内倒しの立体ギャザーは、吸収性物品の前後方向の端部及び吸収性物品側縁に近い側の縁部が容易に剥離されないように固着されており、立体ギャザーの表面とトップシートの表面とこれらの固着部によって、吸収性物品中央側に開口するポケットが形成されている。従って、本発明では、立体ギャザーの表面のうち前記固着部以外の部分の全部又は一部を目的に応じて仮止めすることができる。
【００４０】
更に、本発明の吸収性物品は、立体ギャザーの表面の一部が、ａ）トップシートの表面及び、ｂ）立体ギャザー自体の表面、のうちの少なくとも一つの表面に対して剥離可能に仮止めされている。例えば、後述する外内倒しギャザーや内外倒しギャザーのように、ギャザーの高さ方向の中途に折り返し部分を有する立体ギャザーにあっては、立体ギャザーの表面同士を貼り合わせるように仮止めをしても、トップシートの表面に仮止めをしたのと同様の効果を得ることができる。
【００４１】
本発明の吸収性物品は、図１Ａ〜図１Ｆに示す吸収性物品１Ａのような、剥離可能な仮止め部２８を有する吸収性物品を更に改良したものである。具体的には、図５Ａに示すように、立体ギャザー２６の表面の一部が、複数の仮止め部２８によって、トップシートの表面に対して仮止めされており、複数の仮止め部２８が、立体ギャザー２６の長さ方向（前後方向）に向かって、断続的に配置されているものである。
【００４２】
このような構成は、全面的に仮止め部が形成されている場合と比較して、仮止め部を剥離する数で段階的にポケットの幅を調整することができるという利点がある。図５Ａに示す例は、略長方形状の仮止め部２８によって、立体ギャザー２６の表面のうち、立体ギャザー２６の前端側及び後端側が仮止めされている例である。この例では、立体ギャザー２６の長さ方向に向かって、前端側と後端側に各５個の仮止め部２８が形成されていて、立体ギャザーの前端側、後端側の各々においてポケットの幅を５段階に調節できるように構成されている。
【００４３】
同様の理由から、本発明の吸収性物品は、図５Ｂ及び図５Ｃに示すように、立体ギャザー２６の表面の一部が、複数の仮止め部２８によって、トップシートの表面に対して仮止めされており、複数の仮止め部２８が、立体ギャザー２６の高さ方向に向かって、断続的に配置されていることも好ましい。このような構成は、仮止め部を剥離する数で段階的にポケットの深さを調整することができるという利点がある。
【００４４】
図５Ｂに示す例は、円形状の仮止め部２８によって、立体ギャザー２６の表面のうち、立体ギャザー２６の前端側及び後端側が仮止めされている例である。この例では、前端側と後端側に各１０個の仮止め部２８が５行×２列のマトリクス状に配置されている。即ち、立体ギャザー２６の高さ方向に向かって、２段階の仮止め部２８が形成されており、立体ギャザーの前端側、後端側の各々においてポケットの深さを２段階に調節できるように構成されている。
【００４５】
図５Ｃに示す例は、略長方形状の仮止め部２８によって、立体ギャザー２６の表面のうち、立体ギャザー２６の前端側及び後端側の２つの固着部３０の間の領域が断続的に仮止めされている例である。この例では、前端側から後端側にかけて１０個の仮止め部２８が５行×２列のマトリクス状に配置されている。即ち、立体ギャザー２６の高さ方向に向かって、２段階の仮止め部２８が形成されており、立体ギャザーの前端側から後端側に至る領域全体においてポケットの深さを２段階に調節できるように構成されている。
【００４６】
なお、本発明の吸収性物品は、図５Ｂ及び図５Ｃに示すように、立体ギャザー２６の表面の一部が、複数の仮止め部２８によって、トップシートの表面に対して仮止めされており、複数の仮止め部２８が、立体ギャザー２６の長さ方向と高さ方向の双方に向かって、断続的に配置されていることも好ましい。このような構成であれば、仮止め部を剥離する数で段階的にポケットの幅及び深さの双方を調整することができる。
【００４７】
複数の仮止め部を断続的に形成する場合には、全ての仮止め部の剥離力を同等とする必要はなく、目的に応じて異なる値としてもよい。中でも、本発明の吸収性物品は、立体ギャザーの前端側及び後端側に配置された仮止め部の剥離強度よりも、立体ギャザーの長手方向中央側に配置された仮止め部の剥離強度が低くなっていることが好ましい。
【００４８】
前記のような構成は、図５Ａ及び図５Ｂに示すように、仮止め部２８を立体ギャザー２６の前端側及び後端側に形成した場合等に有効である。例えば、立体ギャザー２６の長手方向中央部に形成されるポケットの幅を広げる際に、ポケットに近い側の仮止め部の剥離強度を低くして剥がし易くする一方、ポケットに遠い側（立体ギャザー２６の前端及び後端に近い側）の仮止め部２８の剥離強度を高くして剥し難くすることができる。即ち、剥離する可能性の高い部位は剥がし易く、それ以外の部分については意図せず剥離することがないように剥がし難く構成することができる。
【００４９】
同様の理由から、本発明の吸収性物品は、立体ギャザーの固定端側に配置された仮止め部の剥離強度よりも、前記立体ギャザーの自由端側に配置された仮止め部の剥離強度が低くなっていることが好ましい。例えば、立体ギャザー２６のポケットの深さを深くする際に、ポケットの開口部に近い側（立体ギャザー２６の自由端Ｅ１側）の仮止め部２８の剥離強度を低くして剥がし易くし、開口部から遠い側（立体ギャザー２６の起立線Ｌ１側）の仮止め部２８の剥離強度は高くして剥し難くすることができる。
【００５０】
本発明の吸収性物品は、図５Ａ及び図５Ｂに示すように、立体ギャザー２６の表面のうち、立体ギャザー２６の前端側及び後端側は仮止めされており（仮止め部２８）、立体ギャザー２６の長手方向中央部はトップシートの表面に対して非固定の状態となっていることが好ましい。このような形態は、立体ギャザーの機能を発揮させる範囲を適宜調整できるという利点があり好ましい。例えば、前端側及び後端側の仮止めを剥離せずに使用すれば、股下部に存する立体ギャザーだけが立ち上がる。一方、前端側及び後端側の仮止めを長く剥離すれば、前身頃側から後身頃側にかけて、立体ギャザーを長い範囲で立ち上がらせることができる。
【００５１】
また、本発明の吸収性物品は、図５Ｃに示すように、立体ギャザー２６の表面のうち、立体ギャザー２６の前端側から後端側に至るまでの部分が仮止めされていることも好ましい（仮止め部２８）。このような形態は、立体ギャザーが長さ方向（前後方向）の全域に渡って仮止めされるため、尿取りパッドの幅や耳の位置に合わせて、着用者が仮止め部の所望の位置を剥離することができる。
【００５２】
図５Ｄに示す例では、立体ギャザー２６の表面のうち、立体ギャザー２６の前端側及び後端側は仮止めされており（仮止め部２８）、立体ギャザー２６の長手方向中央部はトップシートの表面に対して固着されている（固着部３４）。このような形態は、大型の尿取りパッドを使用する際に、パッドの耳部に合わせて、前端部及び後端部の仮止めを剥離させて尿取りパッドを固定することができ、尿取りパッドの立体ギャザーよりも股下部の立体ギャザーを低くすることで、尿取りパッドと併用される使い捨ておむつの汚染を防止し、おむつ自体の交換頻度を低減することができる。
【００５３】
なお、図１Ａ〜図１Ｆ、図５Ａ〜図５Ｄでは、全て内倒し式の立体ギャザー（内倒しギャザー）に本発明を適用した例を示したが、本発明の吸収性物品の構成は、その他の形態の立体ギャザーにも適用することができる。
【００５４】
図６Ａ〜図６Ｃは、おむつを、長手方向中央部において、幅方向（左右方向）に向かって切断した断面を示す概略断面図である。図６Ａ〜図６Ｃに示す吸収性物品１Ｂは、おむつの幅方向外側に向かって傾斜するように起立する外倒し式の立体ギャザー２６Ｂ（外倒しギャザー）を備えた吸収性物品に本発明を適用した例である。この例では、図６Ａに示すように、表面Ｓ２がトップシート１８（サイドシート１８ｂ）の表面に仮止めされて仮止め部２８が形成されている。図６Ｂは仮止め部２８を一部剥離した状態を示し、図６Ｃは仮止め部２８を全て剥離した状態を示す。
【００５５】
なお、図６Ａ〜図６Ｃの吸収性物品１Ｂのように、立体ギャザー２６Ｂとサイドシート１８ｂが一枚の撥水性シートで形成されている場合には、その撥水性シートが固着部３２によってセンターシート１８ａに固着されている部分をサイドシート１８ｂ、固着部３２によって固着されていない起立線Ｌ２から先の部分を立体ギャザー２６Ｂとする。
【００５６】
図７Ａ〜図７Ｄも、図６Ａ〜図６Ｃと同様の断面を示す概略断面図である。図７Ａ〜図７Ｃに示す吸収性物品１Ｃは、固定端側から一旦おむつの幅方向外側に向かって傾斜した後、おむつの幅方向内側に向かって傾斜する外内倒し式の立体ギャザー２６Ｃ（外内倒しギャザー）を備えた吸収性物品に本発明を適用した例である。この例では、図７Ａに示すように、表面Ｓ２がトップシート１８（サイドシート１８ｂ）の表面に仮止めされて仮止め部２８が形成されている。図７Ｂは仮止め部２８を一部剥離した状態を示し、図７Ｃは仮止め部２８を全て剥離した状態を示す。
【００５７】
なお、図７Ｄに示す吸収性物品１Ｃ’は、図７Ａ〜図７Ｃに示す吸収性物品１Ｃの変形例である。吸収性物品１Ｃ’は、吸収性物品１Ｃと同様に、立体ギャザー２６Ｃの表面Ｓ２がトップシート１８（サイドシート１８ｂ）の表面に仮止めされて第１仮止め部２８ａが形成されている。そして、この第１仮止め部２８ａの他に、立体ギャザー２６Ｃの表面Ｓ１同士が仮止めされて第２仮止め部２８ｂが形成されている。
【００５８】
図８Ａ〜図８Ｄも、図６Ａ〜図６Ｃと同様の断面を示す概略断面図である。図８Ａ〜図８Ｃに示す吸収性物品１Ｄは、固定端側から一旦おむつの幅方向内側に向かって傾斜した後、おむつの幅方向外側に向かって傾斜する内外倒し式の立体ギャザー２６Ｄ（内外倒しギャザー）を備えた吸収性物品に本発明を適用した例である。この例では、図８Ａに示すように、表面Ｓ１がトップシート１８（センターシート１８ａ）の表面に仮止めされて仮止め部２８が形成されている。図８Ｂは仮止め部２８を一部剥離した状態を示し、図８Ｃは仮止め部２８を全て剥離した状態を示す。
【００５９】
なお、図８Ｄに示す吸収性物品１Ｄ’は、図８Ａ〜図８Ｃに示す吸収性物品１Ｄの変形例である。吸収性物品１Ｄ’は、吸収性物品１Ｄと同様に、立体ギャザー２６Ｄの表面Ｓ１がトップシート１８（センターシート１８ａ）の表面に仮止めされて第１仮止め部２８ｃが形成されている。そして、この第１仮止め部２８ｃの他に、立体ギャザー２６Ｄの表面Ｓ２同士が仮止めされて第２仮止め部２８ｄが形成されている。
【００６０】
［１−２］吸収体：
吸収体は、着用者の尿を吸収し、保持するための部材である。吸収体は、着用者の尿や体液を吸収し保持する必要から、吸収性材料によって構成される。
【００６１】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。
【００６２】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００６３】
通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。吸収体は少なくとも股下部に介装され、この吸収体が前身頃や後身頃にまで及んでいてもよい。
【００６４】
吸収体は、その全体が親水性シートによって包み込まれていることが好ましい。このような構成は、吸収体からＳＡＰが漏洩することを防止し、吸収体に形状安定性を付与することができるという利点がある。
【００６５】
吸収体の形状については特に制限はないが、従来の使い捨ておむつ、その他の吸収性物品において使用される形状、例えば、矩形状、砂時計型、ひょうたん型、Ｔ字型等を挙げることができる。
【００６６】
図１Ｆに示す吸収性物品１Ａは、吸収体２２として、おむつの前身頃２や後身頃６に相当する部分が幅広な砂時計型の吸収体を用いた例である。
【００６７】
なお、吸収体には、その表面側に（例えば、吸収体とトップシートとの間に）、尿や体液等の液体を拡散させるためのシート（セカンドシート）を付帯的に配置してもよい。このセカンドシートを付設すると、着用者の姿勢等に起因して、トップシート裏面側の空間が十分に形成されないような場合でも、尿や体液等の吸収速度が低下し難く、吸収速度の低下による尿や体液等の漏れを防止することが可能となる。
【００６８】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【００６９】
［１−３］トップシート：
トップシートは、吸収体の表面（吸収性物品の装着時において着用者の肌側に位置する面）を被覆するように配置されるシートである。トップシートは、その裏面側に配置された吸収体に、着用者の尿を吸収させる必要から、その少なくとも一部（全部又は一部）が液透過性材料により構成される。通常、少なくとも吸収体の表面近傍については、着用者の尿や体液を透過させ得る液透過性の材料によって構成される。少なくとも一部が液透過性材料により構成されている限り、必ずしもトップシート全体が液透過性材料で構成されている必要はない。
【００７０】
トップシートを構成する液透過性材料としては、例えば、織布、不織布、多孔性フィルム等を挙げることができる。中でも、ポリプロピレン、ポリエチレン、ポリエステル、脂肪族ポリアミド（商品名：ナイロン）等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。
【００７１】
トップシートは単一のシート材によって構成されていてもよいが、複数のシート材によって構成されていてもよい。例えば、吸収体の表面部に配置されるトップシートと、サイドフラップの部分に配置されるトップシートとを異なるシートによって構成する形態もよく利用される。
【００７２】
例えば、図１Ａに示す吸収性物品１Ａは、テープ型使い捨ておむつであり、おむつの幅方向中央部には液透過性材料からなるトップシート１８（センターシート１８ａ）を配置し、おむつのサイドフラップ８部分には液の透過に対して抵抗性を示す通気撥水性材料からなるトップシート１８（サイドシート１８ｂ）を配置した例である。通気撥水性シートとしては、カードエンボス、スパンボンド等の製法により製造された不織布であってもよいが、防水性の高いＳＭＳ、ＳＭＭＳ等の不織布シートが更に好ましい。
【００７３】
［１−４］バックシート：
バックシートは、吸収体の裏面（吸収性物品の装着時において着用者の着衣側に位置する面）を被覆するように配置されるシートである。バックシートは、着用者の尿がおむつ外部に漏洩してしまうことを防止する必要から、液不透過性材料によって構成される。その配置方法については特に制限はないが、例えば、図１Ｆに示す吸収性物品１Ａのように、吸収性物品の外形と一致するように、バックシート２０を配置する構成を採用することができる。但し、必ずしもこのような構成を採用する必要はなく、吸収体で吸収された尿の漏れを防止するという観点から、少なくとも吸収体の存在する部分に液不透過性材料からなるバックシートを配置してもよい。
【００７４】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００７５】
なお、バックシートには、その外表面側にシート材（カバーシート）を貼り合わせてもよい。このカバーシートは、バックシートを補強し、バックシートの手触り（触感）を良好なものとするために用いられる。
【００７６】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００７７】
［１−５］止着テープ：
本発明の吸収性物品は、テープ型使い捨ておむつであってもよい。「テープ型使い捨ておむつ」とは、図１Ｆに示す吸収性物品１Ａのように、前身頃２、股下部４及び後身頃６の各部から構成されており、吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０と、後身頃６の左右の各側縁６ａ，６ｂから延出するように配置された、前身頃２と後身頃６とを固定するための止着テープ１０とを備えた使い捨ておむつである。
【００７８】
吸収性物品１Ａのようなテープ型使い捨ておむつは、止着テープ１０によっておむつの前身頃２と後身頃６とを相互に固定することで、着用者に容易に装着させることができるという利点を有している。そして、着用者の排泄物はトップシート１８の液透過性の部分を透過して吸収体２２に吸収されるとともに、液不透過性材料で構成されるバックシート２０によって外部への漏洩が防止され、排泄物をおむつ内部に保持することができる。
【００７９】
止着テープのファスニング部材としては、粘着剤により固定を行う粘着ファスナーであってもよいが、機械的な結合により固定を行うカニカルファスナー（面状ファスナー）を用いることが好ましい。メカニカルファスナーは、止着力が高いことに加え、複数回の脱着を行っても止着力が低下することがないという利点がある。
【００８０】
例えば、図１Ｆに示す吸収性物品１Ａは、ファスニング部材として、メカニカルファスナー４４を用いた例である。止着テープ１０の先端近傍には、フック材４４ａが付設される一方、前身頃２には、ループ材４４ｂからなるフロントパッチ１２が付設されており、フロントパッチ１２に対して、止着テープ１０を止め付けることが可能なように構成されている。
【００８１】
止着テープの数は特に限定されないが、後身頃の左右の各側縁に、止着テープが２個ずつ配置されていることが好ましい。例えば、図１Ｆに示す吸収性物品１Ａは、後身頃６の左右の各側縁６ａ，６ｂに、止着テープ１０が２個ずつ配置されたものである。このように、止着テープが２個ずつ配置されたテープ型使い捨ておむつは、１個ずつ配置されたものと比較して、着用者の体型、具体的には、ウエスト周り、脚周りの寸法に合わせてテープ位置、締め付け具合を調節できるという点で優れている。
【００８２】
［１−６］各種伸縮材：
また、本発明の吸収性物品が使い捨ておむつの場合には、脚周り伸縮材を配置し、ウエスト周り伸縮材を配置することが好ましい。
【００８３】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。また、脚周り伸縮材を配置すると、おむつを交換する際に吸収体の両側で脚周り伸縮材が収縮するため、股下部近傍が椀状に変形し、凹部が形成される。このため、尿や体液がその凹部に溜まり、尿や体液をこぼすことなく、容易におむつの交換を行うことができる。
【００８４】
例えば、図１Ａに示す吸収性物品１Ａは、おむつの長手方向に沿って、直線的に二本の脚周り伸縮材４０を配置してレグギャザーを形成した例である。この脚周り伸縮材４０は、糸ゴムによって構成されている。但し、脚周り伸縮材は、必ずしも直線的に配置する必要はなく、例えば、おむつの脚周り開口部のカーブに沿って曲線的に配置してもよい。
【００８５】
脚周り伸縮材は、例えば、図１Ａに示す吸収性物品１Ａのように、立体ギャザー２６の起立線Ｌ１より外側の部分に、脚周り伸縮材４０が形成されていることが好ましい。このような構成とすると、立体ギャザーの十分な防漏効果を確保しつつ、股下部の装用感・装着感を向上させることができる。
【００８６】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００８７】
なお、図１Ｆに示す吸収性物品１Ａは、おむつの後身頃６の端縁に沿って帯状のウエスト周り伸縮材４２を配置した例である。この帯状のウエスト周り伸縮材４２は、ウレタンフォーム等の伸縮性フォームによって構成されている。図示の例では、後身頃（背側）のみにウエスト周り伸縮材４２を配置しているが、前身頃（腹側）にウエスト周り伸縮材を配置してもよい。
【００８８】
本発明の吸収性物品がパンツ型使い捨ておむつの場合には、腹周り伸縮材を配置することが好ましい。腹周り伸縮材は、ウエスト周り開口部と脚周り開口部との間の部分（即ち、着用者の腹周りに相当する部分）に配置される伸縮材である。腹周り伸縮材を配置することによって、着用者の腹周りに伸縮性に富むタミーギャザーを形成することができる。このタミーギャザーは、ウエストギャザーと相俟って、おむつのフィット性やずり下がり防止効果を一層優れたものとすることができる。
【００８９】
これらの伸縮材については、ギャザーの収縮の程度等を勘案した上で、構成材料、その材料の伸長率、固定時の伸長状態等を決定すればよい。
【００９０】
伸縮材としては、従来の使い捨ておむつで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【００９１】
伸縮材は、十分な伸縮力を作用させるため、伸長状態で固定することが好ましい。例えば、伸縮材が天然ゴムや合成ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００９２】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００９３】
［２］製造方法：
仮止め部を有する吸収性物品は、例えば、以下のような方法により製造することができる。以下の説明では、図１Ａ〜図１Ｃ及び図１Ｆに示す吸収性物品１Ａを製造する場合の例により説明する。
【００９４】
まず、バックシート２０の材料となる長尺のシート材（バックシート材）の表面に、親水性シートに包まれた吸収体２２及び脚周り伸縮材４０を載置し、更にその表面にセンターシート１８ａの材料となる長尺のシート材（センターシート材）及びサイドシート１８ｂの材料となる長尺のシート材（サイドシート材）を載置することにより、おむつの中間体となる積層体（おむつ連続体）を得る。サイドシート材の一部を折り返すことによって、立体ギャザー２６Ａを形成する。
【００９５】
サイドシート材は、立体ギャザー２６Ａの前後の端部に相当する部分及び起立線Ｌ１の外側の部分をホットメルト接着剤等により容易に剥離されないように固着する（固着部３０）。更に、立体ギャザー２６Ａの表面のうち、立体ギャザー２６Ａの前端側及び後端側を仮止めして、仮止め部２８を形成する。この仮止め部２８はヒートシール等の方法により形成することができる。
【００９６】
前記のようにして得られたおむつ連続体は、おむつの脚周り開口部に相当する部分を円弧状に切り抜いて切除し（Ｒカット）、脚周り開口部を形成する。最後に、おむつの後身頃６の側縁６ａ，６ｂに、止着テープ１０を付設し、おむつ連続体を個々のおむつに切断することにより、吸収性物品１Ａ（即ち、テープ型使い捨ておむつ）を製造する。
【００９７】
なお、上記のような方法の他、予めトップシート材に止着テープを付設しておき、バックシート材の表面に、親水性シートに包まれた吸収体及び脚周り伸縮材を載置し、更にその表面に伸縮性止着テープが付設されたトップシート材を載置することにより、おむつ連続体を得てもよい。
【００９８】
前記のような一連の工程は、機械的な手段によって連続的に行うことが可能である。例えば、長尺のシート材をローラーから連続的に送出する等の方法・装置を採用することにより、テープ型使い捨ておむつの連続製造が可能となり、生産性の向上に資する。
【産業上の利用可能性】
【００９９】
本発明の吸収性物品は、尿取りパッド、テープ型使い捨ておむつ、パンツ型使い捨ておむつ等の乳幼児用、或いは介護を必要とする高齢者や障害者等の成人用の吸収性物品、特に、尿取りパッドを併用することが多い成人用のテープ型使い捨ておむつとして好適に利用することができる。
【図面の簡単な説明】
【０１００】
【図１Ａ】吸収性物品の一の実施形態を示す概略平面図であり、吸収性物品を展開し、トップシート側から見た状態を示す図である。
【図１Ｂ】吸収性物品の一の実施形態を示す概略断面図であり、図１Ａに示す吸収性物品のＸ−Ｘ’断面を示すものである。
【図１Ｃ】吸収性物品の一の実施形態を示す概略断面図であり、図１Ａに示す吸収性物品のＹ−Ｙ’断面を示すものである。
【図１Ｄ】吸収性物品の使用状態を示す概略断面図であり、図１Ａに示す吸収性物品の仮止め部を一部剥離した状態のＹ−Ｙ’断面を示すものである。
【図１Ｅ】吸収性物品の使用状態を示す概略断面図であり、図１Ａに示す吸収性物品の仮止め部を完全に剥離した状態のＹ−Ｙ’断面を示すものである。
【図１Ｆ】吸収性物品の一の実施形態を示す一部切り欠き概略平面図であり、図１Ａに示す吸収性物品を展開し、その一部を切り欠いた状態を示す図である。
【図２】従来の吸収性物品の一の実施形態を示す概略平面図であり、吸収性物品を展開し、トップシート側から見た状態を示す図である。
【図３】従来の吸収性物品の別の実施形態を示す概略平面図であり、吸収性物品を展開し、トップシート側から見た状態を示す図である。
【図４】従来の吸収性物品の更に別の実施形態を示す概略平面図であり、吸収性物品を展開し、トップシート側から見た状態を示す図である。
【図５Ａ】本発明の吸収性物品の一部拡大平面図であり、立体ギャザーに形成される仮止め部の一の実施形態を示すものである。
【図５Ｂ】本発明の吸収性物品の一部拡大平面図であり、立体ギャザーに形成される仮止め部の別の実施形態を示すものである。
【図５Ｃ】本発明の吸収性物品の一部拡大平面図であり、立体ギャザーに形成される仮止め部の更に別の実施形態を示すものである。
【図５Ｄ】吸収性物品の一部拡大平面図であり、立体ギャザーに形成される仮止め部の更にまた別の実施形態を示すものである。
【図６Ａ】本発明の吸収性物品の別の実施形態を示す概略断面図であり、吸収性物品を長手方向中央部において幅方向（左右方向）に向かって切断した断面を示す図である。
【図６Ｂ】本発明の吸収性物品の更に別の実施形態を示す概略断面図であり、図６Ａに示す吸収性物品の仮止め部を一部剥離した状態を示す図である。
【図６Ｃ】本発明の吸収性物品の別の実施形態を示す概略断面図であり、図６Ａに示す吸収性物品の仮止め部を全て剥離した状態を示す図である。
【図７Ａ】本発明の吸収性物品の更に別の実施形態を示す概略断面図であり、吸収性物品を長手方向中央部において幅方向（左右方向）に向かって切断した断面を示す図である。
【図７Ｂ】本発明の吸収性物品の更に別の実施形態を示す概略断面図であり、図７Ａに示す吸収性物品の仮止め部を一部剥離した状態を示す図である。
【図７Ｃ】本発明の吸収性物品の更に別の実施形態を示す概略断面図であり、図７Ａに示す吸収性物品の仮止め部を全て剥離した状態を示す図である。
【図７Ｄ】本発明の吸収性物品の更にまた別の実施形態を示す概略断面図であり、図７Ａに示す吸収性物品に更に仮止め部を形成した変形例を示す図である。
【図８Ａ】本発明の吸収性物品の別の実施形態を示す概略断面図であり、吸収性物品を長手方向中央部において幅方向（左右方向）に向かって切断した断面を示す図である。
【図８Ｂ】本発明の吸収性物品の別の実施形態を示す概略断面図であり、図８Ａに示す吸収性物品の仮止め部を一部剥離した状態を示す図である。
【図８Ｃ】本発明の吸収性物品の別の実施形態を示す概略断面図であり、図８Ａに示す吸収性物品の仮止め部を全て剥離した状態を示す図である。
【図８Ｄ】本発明の吸収性物品の更に別の実施形態を示す概略断面図であり、図８Ａに示す吸収性物品に更に仮止め部を形成した変形例を示す図である。
【符号の説明】
【０１０１】
１Ａ，１Ｂ，１Ｃ，１Ｃ’，１Ｄ，１Ｄ’，１００Ａ，１００Ｂ，１００Ｃ：吸収性物品、２：前身頃、４：股下部、６：後身頃、６ａ，６ｂ：側縁、８：サイドフラップ、１０：止着テープ、１２：フロントパッチ、１８：トップシート、１８ａ：センターシート、１８ｂ：サイドシート、２０：バックシート、２２：吸収体、２６，２６Ａ，２６Ｂ，２６Ｃ，２６Ｄ：立体ギャザー、２８：仮止め部、２８ａ，２８ｃ：第１仮止め部、２８ｂ，２８ｄ：第２仮止め部、３０，３２，３４：固着部、３６：立体ギャザー伸縮材、４０：脚周り伸縮材、４２：ウエスト周り伸縮材、４４：メカニカルファスナー、４４ａ：フック材、４４ｂ：ループ材、５０：ギャザーシート、５２：軌跡、５４：ポケット、５８：尿取りパッド、６０：大型パッド、７０：固定部、７２：ポケット、７４：小型パッド、Ｅ１：自由端、Ｌ１，Ｌ２：起立線、Ｓ１，Ｓ２：表面。
【図１Ａ】
0004996507.tif 000002
【図１Ｂ】
0004996507.tif 000003
【図１Ｃ】
0004996507.tif 000004
【図１Ｄ】
0004996507.tif 000005
【図１Ｅ】
0004996507.tif 000006
【図１Ｆ】
0004996507.tif 000007
【図２】
0004996507.tif 000008
【図３】
0004996507.tif 000009
【図４】
0004996507.tif 000010
【図５Ａ】
0004996507.tif 000011
【図５Ｂ】
0004996507.tif 000012
【図５Ｃ】
0004996507.tif 000013
【図５Ｄ】
0004996507.tif 000014
【図６Ａ】
0004996507.tif 000015
【図６Ｂ】
0004996507.tif 000016
【図６Ｃ】
0004996507.tif 000017
【図７Ａ】
0004996507.tif 000018
【図７Ｂ】
0004996507.tif 000019
【図７Ｃ】
0004996507.tif 000020
【図７Ｄ】
0004996507.tif 000021
【図８Ａ】
0004996507.tif 000022
【図８Ｂ】
0004996507.tif 000023
【図８Ｃ】
0004996507.tif 000024
【図８Ｄ】
0004996507.tif 000025